(57)【要約】【課題】  水平方向の音環境を容易に調整できる音響拡散パネル装置を提供する。【解決手段】  一定間隔に立設された２脚の支持脚１と、それぞれの支持脚１に支持された２枚の音響パネル２とを備えてなる音響拡散パネル装置において、２枚の音響パネル２が互いにその側端３で水平方向に回動自在に連結され、各々の音響パネル２が水平方向に滑動するスライド機構４を介して支持脚１に係合支持されると共に各々の支持脚１に音響パネル２を水平方向に回動させる回動機構５を設け、更に、音響パネル２の前面に音を反射し吸収する作用面６が形成されており、音響パネル２がその背面７で支持脚１に支持されている。【選択図】図７
2006300995.tif 000002
【特許請求の範囲】
【請求項１】
一定間隔に立設された２脚の支持脚と、それぞれの支持脚に支持された２枚の音響パネルとを備えてなる音響拡散パネル装置において、２枚の音響パネルが互いにその側端で水平方向に回動自在に連結され、各々の音響パネルが水平方向に滑動するスライド機構を介して支持脚に係合支持されると共に各々の支持脚に音響パネルを水平方向に回動させる回動機構を設けたことを特徴とする音響拡散パネル装置。
【請求項２】
音響パネルの前面に音を反射し吸収する作用面が形成されており、音響パネルがその背面で支持脚に支持されていることを特徴とする請求項１記載の音響拡散パネル装置。
【請求項３】
音響パネルが、インシュレーションボードからなる背板と、背板の前方に、背板と対向して設けられる背板と略同幅で前方に凸に湾曲した前化粧板と、背板と前化粧板双方の側端部分と係合する縦額縁と、背板と前化粧板の上端及び下端とそれぞれ係合する天板及び底板とで構成され、前化粧板には音響パネル内部と連通する連通部が設けられ、音響パネル内部には、インシュレーションボードからなる音調整板が、背板と前化粧板の側端部分とで挟持され、背板に沿設させられており、背板側が背面となっていることを特徴とする請求項２記載の音響拡散パネル装置。
【発明の詳細な説明】
【技術分野】
【０００１】
本願発明は、居室や多目的ホール等の室内の音環境を調節する音響拡散パネル装置に関する。
【背景技術】
【０００２】
従来から、居室や多目的ホール等の室内において、反響や共鳴といった音環境を改善するために、音響パネルを用いて音を拡散させることがある。これら音環境は、音源の位置や種類、室内に設置される家具や装置の配置に依存するため、それぞれの室内空間や使用目的に応じて、音響パネルの形状や取り付け位置を細かく調整する必要がある。
【０００３】
一方、実開平７−４１５９６号公報には、２枚の音響反射板を上下方向に回動自在に連結した音響反射板装置が開示されている。この音響反射板装置においては、鉛直方向の音響調節を効果的に行うことができるが、水平方向の音響調節においては音響反射板装置自体を移動するしかなく、改善の余地があった。
【特許文献１】実開平７−４１５９６号公報
【発明の開示】
【発明が解決しようとする課題】
【０００４】
本願発明は、上記背景技術に鑑みて発明されたものであり、その課題は、水平方向の音環境を容易に調整できる音響拡散パネル装置を提供することである。
【課題を解決するための手段】
【０００５】
上記課題を解決するために、本願発明は、一定間隔に立設された２脚の支持脚と、それぞれの支持脚に支持された２枚の音響パネルとを備えてなる音響拡散パネル装置において、２枚の音響パネルが互いにその側端で水平方向に回動自在に連結され、各々の音響パネルが水平方向に滑動するスライド機構を介して支持脚に係合支持されると共に各々の支持脚に音響パネルを水平方向に回動させる回動機構を設けたことを特徴とする音響拡散パネル装置である。
【発明の効果】
【０００６】
本願発明の音響拡散パネル装置においては、２枚の音響パネルが水平方向に回動自在に連結されているため、音響パネルを屏風の様に開閉させることで音の吸収及び反射する方向を微調整することができ、音響パネルがスライド機構と回動機構を介して支持脚に支持されているため、スムーズに開閉できる。
【発明を実施するための最良の形態】
【０００７】
図１〜７は、本願の請求項１〜３全てに対応した一実施形態である音響拡散パネル装置を示している。この実施形態の音響拡散パネル装置は、図１及び図２に示す如く、一定間隔に立設された２脚の支持脚１と、それぞれの支持脚１に支持された２枚の音響パネル２とを備えてなる音響拡散パネル装置において、２枚の音響パネル２が互いにその側端３で水平方向に回動自在に連結され、各々の音響パネル２が水平方向に滑動するスライド機構４を介して支持脚１に係合支持されると共に各々の支持脚１に音響パネル２を水平方向に回動させる回動機構５を設けている。
【０００８】
又、音響パネル２の前面に音を反射し吸収する作用面６が形成されており、音響パネル２がその背面７で支持脚１に支持されている。
【０００９】
又、この実施形態の音響拡散パネル装置では、図１、図５及び図６に示す如く、音響パネル２が、インシュレーションボードからなる背板８と、背板８の前方に、背板８と対向して設けられる背板８と略同幅で前方に凸に湾曲した前化粧板９と、背板８と前化粧板９双方の側端部分と係合する縦額縁１０と、背板８と前化粧板９の上端及び下端とそれぞれ係合する天板１１及び底板１２とで構成され、前化粧板９には音響パネル２内部と連通する連通部１３が設けられ、音響パネル２内部には、インシュレーションボードからなる音調整板１４が、背板８と前化粧板９の側端部分とで挟持され、背板８に沿設させられており、背板８側が背面７となっている。
【００１０】
以下、この実施形態の音響拡散パネル装置を、より具体的詳細に説明する。この実施形態の音響拡散パネル装置は、図１及び図２に示す如く、２脚の支持脚１と、２枚の音響パネル２及び支持板１５を備えてなっている。２脚の支持脚１は支持板１５から一定間隔をあけて立設されており、それぞれの支持脚１には音響パネル２が支持されている。又、それぞれの音響パネル２はその向かい合った側端３がヒンジ部１７を介して水平方向に回動自在に連結されている。
【００１１】
それぞれの音響パネル２の背面７の略中央には、断面略コ字型のスライドレール４ｂが水平方向に設けられており、又、支持脚１の上方には、断面略コ字型のスライド片４ａが水平方向に回動自在な回動機構５を介して設けられている。このスライド片４ａとスライドレール４ｂとが互いの開口が向かい合うようにして係合されることで、音響パネル２と支持脚１とが水平方向にスライド可能なスライド機構４となっている。従って、この実施形態においては、スライド機構４と回動機構５とが一体となって設けられている。
【００１２】
以上の構成を有することで、この音響拡散パネル装置は、図６に示す如く、２枚の音響パネル２の表側が向かい合ってヒンジ部１７が前方に突出した状態（図７（ａ））、略一直線で面一となった状態（図７（ｂ））及びヒンジ部が前方に突出した状態（図７（ｃ））をとれるようになっている。なお、スライド機構４は、図７（ｂ）のときに、スライド片４aがスライドレール４ｂの最も内側すなわち、ヒンジ部１７側で係合された状態となっており、それ以上はスライドしないようになっている。
【００１３】
又、この音響パネル２は、図１、図５及び図６に示すように、インシュレーションボードからなる背板８と、背板８の前方に、背板８と対向して設けられる背板８と略同幅で前方に凸に湾曲した前化粧板９と、背板８と前化粧板９双方の側端部分と係合する縦額縁１０と、背板８と前化粧板９の上端及び下端とそれぞれ係合する天板１１及び底板１２とで構成されている。又、図１では省略しているが、前化粧板９には音響パネル２の内部と連通する連通部１３が設けられ、音響パネル２内部には、インシュレーションボードからなる音調整板１４が、背板８と前化粧板９の側端部分とで挟持され、前記背板８に沿設させられている。又、前記前化粧板９に前端面で当接し、後端面で前記背板８に当接する、前面が湾曲した略Ｄ字状板である横桟１９を天板１１と底板１２との間に設けている。
【００１４】
又、前化粧板９が横方向に一定間隔をあけ並設される複数枚の帯板状の前板１３ａで構成され、連通部１３を帯板間の隙間部分としており、前化粧板９を構成する前板１３ａ間の隙間部分後方に、帯板状の後板１３ｂを設けている。更に、横桟１９の前面部分を櫛歯状に形成し、櫛歯状部分の凸部先端に前板１３ａを、凹部後端１１に後板１３ｂをそれぞれ設けている。
【００１５】
この音響パネル２の素材はそれぞれ、前板１３ａ及び後板１３ｂは、インテリアとしても音響拡散パネル装置を用いることを考え、ムクのシナ材を用いている。そして縦額縁１０及び天板１１、底板１２はアスペン材を用いている。なお、これら以外にも種々の木材、金属、樹脂板などを用いることが可能である。
【００１６】
又、支持脚１を支える支持板１５は板状であるが、音響パネル２が図７（ｃ）に示す如く、その重心が前方に偏ったときにそれを支えるため、前方に突出した突出部１５ａが設けられている。この場合、支持板１５の両末端に突出部１５ａを設け、全体として前方に開口したＵ字状となっている。又、この場合、支持脚１は支持板１５の上方に設けられた横長棒状の固定片１６を介して固定されている。
【００１７】
又、音響パネル２の背面７の下端部には、平面視略コ字型の板状で、背面７に対して開口した断面コ字型の音響パネル２を支持脚１に補助的に固定するための支持脚係合部１８が設けられている。このコ字型の開口の幅は、支持脚１が音響パネル２に対して水平方向にスライドするため、支持脚１がスライドする範囲に合わせて設定されている。
【００１８】
なお、この音響拡散パネル装置は、単独で部屋の隅部やスピーカーなどの音響機器に隣接して設置することもできるが、複数の音響拡散パネル装置を水平方向に屏風のようにならべて用いることもできる。
【００１９】
従って、この実施形態の音響拡散パネル装置においては、各々の音響パネル２が水平方向に滑動するスライド機構４を介して支持脚１に係合支持されると共に各々の支持脚１に音響パネル２を水平方向に回動させる回動機構５を設けているため、図６に示す如く、支持脚１の間隔を一定に固定したまま、音響パネル２を屏風のように折りたたみできる。又、それにより、音響パネル２をスムーズに開閉できる。
【００２０】
又、音響パネル２の前面に音を反射し吸収する作用面６が形成されており、音響パネル２がその背面７で支持脚１に支持されているため、音響パネル２を屏風のように開閉させることで、音を吸収させる範囲、反射させる方向を微調整できる。従って、家庭の居室空間においては、音が集中、乱反射しやすく音環境の悪化を引き起こす原因となる隅部に設置することで居室空間の音環境を良好なものとすることができ、又、スピーカーなどの音響機器の背面に設置することで、音響機器からの発せられる音を視聴者に向かって程よく反射させることができる。
【００２１】
更に、音響パネル２が背面７で支持脚１に支持されているため、支持脚１やスライド機構４などが前面から見えなくなるために見栄えがよくなる。そして、スライド機構４や回動機構５が音響パネル２の外部に露出しているため、壁に直接固定するように設計・製造した一般的な壁パネルを用いて製造することもでき、別途音響パネル２を設計・製造する必要がない。それに加えて、仮にスライド機構４や回動機構５が故障してしまっても、修理しやすく、メンテナンスも容易である。
【００２２】
又、音響パネル２が、前方に凸に湾曲した前化粧板９を備えているため、音を一定方向に反射させるのではなく、ある程度の範囲に拡散させることができる。更に、前化粧板９に連通部１３が設けられているので、音をすべて反射させるのではなく、一部吸収させることができる。それに加え、背板８と音調整板１４をインシュレーションボードで構成し、沿設しているため、インシュレーションボードの吸音効果を高めることができる。
【００２３】
又、支持板１５に前方に突出部１５ａを設けているため、音響パネル２の開閉により重心が前方に偏っても、本願発明の音響拡散パネル装置は転倒しにくい。更にこの場合、突出部１５ａを支持板１５の両端に設けているためにより転倒しにくくなり、又、支持板１５を板状としているため軽量化が図れる。
【００２４】
又、本願発明の音響拡散パネル装置は、１つを単独で使うだけでなく、複数の音響拡散パネル装置を屏風状に並べて使用することもでき、これにより、音を吸収、反射させたい範囲を変化させることができる。従って、ホームシアターなどの個人の居室空間からホール等の大型施設まで、様々な場面での音環境の微調整が行える。
【図面の簡単な説明】
【００２５】
【図１】本願発明の一実施形態である音響拡散パネル装置を示す正面図。
【図２】同音響拡散パネル装置を示す(ａ)は片側の背面図、（ｂ）はスライド機構の拡大図。
【図３】同音響拡散パネル装置を示す側面図。
【図４】同音響拡散パネル装置を示す平面図。
【図５】同音響拡散パネル装置の音響パネルを示す分解斜視図。
【図６】同音響拡散パネル装置の音響パネルを示す横断面図。
【図７】同音響拡散パネル装置の動作を示す（ａ）〜（ｃ）は各状態での平面図。
【符号の説明】
【００２６】
１    支持脚
２    音響パネル
３    側端
４    スライド機構
４ａ  スライド片
４ｂ  スライドレール
５    回動機構
６    作用面
７    背面
８    背板
９    前化粧板
10    縦額縁
11    天板
12    底板
13連通部
13ａ  前板
13ｂ  後板
14音調整板
15支持板
15ａ  突出部
16固定片
17ヒンジ部
18支持脚係合部
19横桟
【図１】
2006300995.tif 000003
【図２】
2006300995.tif 000004
【図３】
2006300995.tif 000005
【図４】
2006300995.tif 000006
【図５】
2006300995.tif 000007
【図６】
2006300995.tif 000008
【図７】
2006300995.tif 000009